(57)【要約】【課題】有意な画素信号が得られた領域の画像データを高速に出力することができる撮像装置を提供すること。【解決手段】本発明に係る撮像装置は、被写体からの光をそれぞれ受光する複数の第１受光素子と、複数の第１受光素子のそれぞれが光を受光する被写体の位置と同一の位置、又は複数の第１受光素子のそれぞれが光を受光する被写体の位置に隣接する位置からの光をそれぞれ受光する複数の第２受光素子と、複数の第２受光素子のそれぞれが受光した受光量を検出する受光量検出部と、受光量検出部が検出した受光量が予め定められた受光量以上である第２受光素子が光を受光する被写体の位置と同一の位置、又は受光量検出部が検出した受光量が予め定められた受光量以上である第２受光素子が光を受光する被写体の位置に隣接する位置からの光を受光する第１受光素子が受光した受光量を電気信号で取得する画素データ取得部とを備える。【選択図】図１
2008187480.tif 000002
【特許請求の範囲】
【請求項１】
被写体からの光をそれぞれ受光する複数の第１受光素子と、
前記複数の第１受光素子のそれぞれが光を受光する前記被写体の位置と同一の位置、又は前記複数の第１受光素子のそれぞれが光を受光する前記被写体の位置に隣接する位置からの光をそれぞれ受光する複数の第２受光素子と、
前記複数の第２受光素子のそれぞれが受光した受光量を検出する受光量検出部と、
前記受光量検出部が検出した受光量が予め定められた受光量以上である前記第２受光素子が光を受光する前記被写体の位置と同一の位置、又は前記受光量検出部が検出した受光量が予め定められた受光量以上である前記第２受光素子が光を受光する前記被写体の位置に隣接する位置からの光を受光する前記第１受光素子が受光した受光量を電気信号で取得する画素データ取得部と
を備える撮像装置。
【請求項２】
前記複数の第２受光素子のそれぞれは、前記複数の第１受光素子のそれぞれに隣接して配置され、
前記画素データ取得部は、前記受光量検出部が検出した受光量が予め定められた受光量以上である前記第２受光素子に隣接して配置された前記第１受光素子が受光した受光量を電気信号で取得する
請求項１に記載の撮像装置。
【請求項３】
前記複数の第１受光素子にそれぞれ接続され、前記複数の第１受光素子が受光した受光量を電気信号で前記画素データ取得部に出力する複数のスイッチ部と、
前記受光量検出部が検出した受光量が予め定められた受光量以上である前記第２受光素子が光を受光する位置と同一の位置、又は前記受光量検出部が検出した受光量が予め定められた受光量以上である前記第２受光素子が光を受光する前記被写体の位置に隣接する位置からの光を受光する前記第１受光素子に接続された前記スイッチ部を導通状態にすることによって、当該第１受光素子が受光した受光量を電気信号で前記画素データ取得部に供給するスイッチ制御部と
をさらに備える請求項１に記載の撮像装置。
【請求項４】
前記第２受光素子の受光感度は、前記第１受光素子より受光感度が小さい
請求項１に記載の撮像装置。
【請求項５】
前記第２受光素子の受光面積は、前記第１受光素子より受光面積が小さい
請求項４に記載の撮像装置。
【請求項６】
前記被写体からの特定の色成分の光を透過して前記第２受光素子に受光させる色フィルタ
をさらに備える請求項１に記載の撮像装置。
【請求項７】
特定の偏光方向の光を透過して前記第２受光素子に受光させる偏光フィルタ
をさらに備える請求項１に記載の撮像装置。
【請求項８】
前記画素データ取得部は、前記受光量検出部が検出した受光量が予め定められた第１受光量以上であり、前記第１受光量より大きい予め定められた第２受光量以下である前記第２受光素子が光を受光する前記被写体の位置と同一の位置、又は前記受光量検出部が検出した受光量が前記第１受光量以上であり前記第２受光量以下である前記第２受光素子が光を受光する前記被写体の位置に隣接する位置からの光を受光する前記第１受光素子が受光した受光量を電気信号で取得する
請求項１に記載の撮像装置。
【請求項９】
被写体からの光をそれぞれ受光する複数の第１受光素子のそれぞれが光を受光する前記被写体の位置と同一の位置、又は前記複数の第１受光素子のそれぞれが光を受光する前記被写体の位置に隣接する位置からの光をそれぞれ受光する複数の第２受光素子のそれぞれが受光した受光量を検出する受光量検出段階と、
前記受光量検出部が検出した受光量が予め定められた受光量以上である前記第２受光素子が光を受光する前記被写体の位置と同一の位置、又は前記受光量検出部が検出した受光量が予め定められた受光量以上である前記第２受光素子が光を受光する前記被写体の位置に隣接する位置からの光を受光する前記第１受光素子が受光した受光量を電気信号で取得する画素データ取得段階と
を備える撮像方法。
【請求項１０】
被写体からの光をそれぞれ受光する複数の第１受光素子と、
前記複数の第１受光素子のそれぞれが光を受光する前記被写体の位置と同一の位置、又は前記複数の第１受光素子のそれぞれが光を受光する前記被写体の位置に隣接する位置からの光をそれぞれ受光する複数の第２受光素子と、
前記複数の第２受光素子のそれぞれが受光した受光量を検出する受光量検出部と、
前記受光量検出部が検出した受光量が予め定められた受光量以下である前記第２受光素子が光を受光する前記被写体の位置と同一の位置、又は前記受光量検出部が検出した受光量が予め定められた受光量以下である前記第２受光素子が光を受光する前記被写体の位置に隣接する位置からの光を受光する前記第１受光素子が受光した受光量を電気信号で取得する画素データ取得部と
を備える撮像装置。
【請求項１１】
被写体からの光をそれぞれ受光する複数の第１受光素子のそれぞれが光を受光する前記被写体の位置と同一の位置、又は前記複数の第１受光素子のそれぞれが光を受光する前記被写体の位置に隣接する位置からの光をそれぞれ受光する複数の第２受光素子のそれぞれが受光した受光量を検出する受光量検出段階と、
前記受光量検出段階において検出された受光量が予め定められた受光量以下である前記第２受光素子が光を受光する前記被写体の位置と同一の位置、又は前記受光量検出部が検出した受光量が予め定められた受光量以下である前記第２受光素子が光を受光する前記被写体の位置に隣接する位置からの光を受光する前記第１受光素子が受光した受光量を電気信号で取得する画素データ取得段階と
を備える撮像方法。
【発明の詳細な説明】
【技術分野】
【０００１】
本発明は、撮像装置及び撮像方法に関する。特に本発明は、画像を撮像する撮像装置、撮像方法に関する。
【背景技術】
【０００２】
蓄積型光電変換器の蓄積時間制御方法として、受光素子群に複数のモニタ受光素子を隣接して配設し、受光素子群の蓄積中に各モニタ受光素子のいずれかの受光光量が所定のレベルに到達した時点で、受光素子群の蓄積を終了させる制御方法が知られている（例えば、特許文献１参照。）。
【特許文献１】特許第２５１４３１４号公報
【発明の開示】
【発明が解決しようとする課題】
【０００３】
上記特許文献１に記載の蓄積時間制御方法では、モニタ受光素子の受光光量が所定のレベルに到達した時点で受光素子群への電荷蓄積を終了することによって、安定した受光量を得ることができる。しかしながら、撮像する画素数が多くなればなるほど、画素データを読み出すのにより多くの時間を要してしまい、出力される画像のデータ量も増大してしまう。
【０００４】
そこで本発明は、上記課題を解決することができる撮像装置及び撮像方法を提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態における撮像装置は、被写体からの光をそれぞれ受光する複数の第１受光素子と、複数の第１受光素子のそれぞれが光を受光する被写体の位置と同一の位置、又は複数の第１受光素子のそれぞれが光を受光する被写体の位置に隣接する位置からの光をそれぞれ受光する複数の第２受光素子と、複数の第２受光素子のそれぞれが受光した受光量を検出する受光量検出部と、受光量検出部が検出した受光量が予め定められた受光量以上である第２受光素子が光を受光する被写体の位置と同一の位置、又は受光量検出部が検出した受光量が予め定められた受光量以上である第２受光素子が光を受光する被写体の位置に隣接する位置からの光を受光する第１受光素子が受光した受光量を電気信号で取得する画素データ取得部とを備える。
【０００６】
複数の第２受光素子のそれぞれは、複数の第１受光素子のそれぞれに隣接して配置され、画素データ取得部は、受光量検出部が検出した受光量が予め定められた受光量以上である第２受光素子に隣接して配置された第１受光素子が受光した受光量を電気信号で取得してよい。
【０００７】
第２受光素子の受光感度は、第１受光素子より受光感度が小さくてよい。被写体からの特定の色成分の光を透過して第２受光素子に受光させる色フィルタをさらに備えてよい。
【０００８】
本発明の第２の形態における撮像方法は、被写体からの光をそれぞれ受光する複数の第１受光素子のそれぞれが光を受光する被写体の位置と同一の位置、又は複数の第１受光素子のそれぞれが光を受光する被写体の位置に隣接する位置からの光をそれぞれ受光する複数の第２受光素子のそれぞれが受光した受光量を検出する受光量検出段階と、受光量検出段階において検出された受光量が予め定められた受光量以上である第２受光素子が光を受光する被写体の位置と同一の位置、又は受光量検出部が検出した受光量が予め定められた受光量以上である第２受光素子が光を受光する被写体の位置に隣接する位置からの光を受光する第１受光素子が受光した受光量を電気信号で取得する画素データ取得段階とを備える。
【０００９】
本発明の第３の形態における撮像装置は、被写体からの光をそれぞれ受光する複数の第１受光素子と、複数の第１受光素子のそれぞれが光を受光する被写体の位置と同一の位置、又は複数の第１受光素子のそれぞれが光を受光する被写体の位置に隣接する位置からの光をそれぞれ受光する複数の第２受光素子と、複数の第２受光素子のそれぞれが受光した受光量を検出する受光量検出部と、受光量検出部が検出した受光量が予め定められた受光量以下である第２受光素子が光を受光する被写体の位置と同一の位置、又は受光量検出部が検出した受光量が予め定められた受光量以下である第２受光素子が光を受光する被写体の位置に隣接する位置からの光を受光する第１受光素子が受光した受光量を電気信号で取得する画素データ取得部とを備える。
【００１０】
本発明の第４の形態における撮像方法は、被写体からの光をそれぞれ受光する複数の第１受光素子のそれぞれが光を受光する被写体の位置と同一の位置、又は複数の第１受光素子のそれぞれが光を受光する被写体の位置に隣接する位置からの光をそれぞれ受光する複数の第２受光素子のそれぞれが受光した受光量を検出する受光量検出段階と、受光量検出段階において検出された受光量が予め定められた受光量以下である第２受光素子が光を受光する被写体の位置と同一の位置、又は受光量検出部が検出した受光量が予め定められた受光量以下である第２受光素子が光を受光する被写体の位置に隣接する位置からの光を受光する第１受光素子が受光した受光量を電気信号で取得する画素データ取得段階とを備える。
【００１１】
なお、上記の発明の概要は、本発明の必要な特徴の全てを列挙したものではなく、これらの特徴群のサブコンビネーションもまた、発明となりうる。
【発明の効果】
【００１２】
本発明によれば、有意な画素信号が得られた領域の画像データを高速に出力することができる撮像装置を提供することができる。
【発明を実施するための最良の形態】
【００１３】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１４】
図１は、一実施形態に係る撮像装置１００のブロック構成の一例を示す。撮像装置１００は、複数の第１受光素子１１０ａ及びｂ（以下、第１受光素子１１０と総称する）、第２受光素子１２０ａ及びｂ（以下、第２受光素子１２０と総称する）、受光量検出部１３０ａ及びｂ（以下、受光量検出部１３０と総称する）、読み出し制御部１４０ａ及びｂ（以下、読み出し制御部１４０と総称する）、画素データ取得部１７０ａ及びｂ（以下、画素データ取得部１７０と総称する）を備える。読み出し制御部１４０ａは、スイッチ制御部１５０ａ及びスイッチ部１６０ａを有し、読み出し制御部１４０ｂは、スイッチ制御部１５０ｂ及びスイッチ部１６０ｂを有する。なお、スイッチ制御部１５０ａ及びｂをスイッチ制御部１５０と総称し、スイッチ部１６０ａ及びｂをスイッチ部１６０と総称する。
【００１５】
複数の第１受光素子１１０は、被写体からの光をそれぞれ受光する。複数の第２受光素子１２０は、複数の第１受光素子１１０のそれぞれが光を受光する被写体の位置と同一の位置、又は複数の第１受光素子１１０のそれぞれが光を受光する被写体の位置に隣接する位置からの光をそれぞれ受光する。そして、受光量検出部１３０は、複数の第２受光素子１２０のそれぞれが受光した受光量を検出する。
【００１６】
そして、画素データ取得部１７０は、受光量検出部１３０が検出した受光量が予め定められた受光量Ａ以上である第２受光素子１２０が光を受光する被写体の位置と同一の位置、又は受光量検出部１３０が検出した受光量が予め定められた受光量Ａ以上である第２受光素子１２０が光を受光する被写体の位置に隣接する位置からの光を受光する第１受光素子１１０が受光した受光量を電気信号で取得する。なお、画素データ取得部１７０は、受光量検出部１３０が検出した受光量が予め定められた受光量Ａ以上である第２受光素子１２０が光を受光する被写体の位置と同一の位置、又は受光量検出部１３０が検出した受光量が予め定められた受光量Ａ以上である第２受光素子１２０が光を受光する被写体の位置に隣接する位置からの光を受光する第１受光素子１１０の位置を示すアドレス情報と、当該第１受光素子１１０が受光した受光量とを対応づけて取得してよい。これにより、撮像装置１００は、取得したアドレス情報と受光量とに基づいて、所定量以上の光量の光を発する被写体領域の画像を生成することができる。
【００１７】
具体的には、読み出し制御部１４０は、受光量検出部１３０が検出した受光量が予め定められた受光量Ａ以上である第２受光素子１２０が光を受光する被写体の位置と同一の位置、又は受光量検出部１３０が検出した受光量が予め定められた受光量Ａ以上である第２受光素子１２０が光を受光する被写体の位置に隣接する位置からの光を受光する第１受光素子１１０が受光した受光量を、電気信号で画素データ取得部１７０に供給する。なお、読み出し制御部１４０は、受光量検出部１３０が検出した受光量が予め定められた受光量Ａ以上である第２受光素子１２０が光を受光する被写体の位置と同一の位置、又は受光量検出部１３０が検出した受光量が予め定められた受光量Ａ以上である第２受光素子１２０が光を受光する被写体の位置に隣接する位置からの光を受光する第１受光素子１１０が受光した受光量を、第１受光素子１１０から読み出して画素データ取得部１７０に供給する。
【００１８】
より具体的には、複数のスイッチ部１６０は、複数の第１受光素子１１０にそれぞれ接続され、複数の第１受光素子１１０が受光した受光量を電気信号で画素データ取得部１７０に出力する。また、スイッチ制御部１５０は、受光量検出部１３０が検出した受光量が予め定められた受光量Ａ以上である第２受光素子１２０が光を受光する位置と同一の位置、又は受光量検出部１３０が検出した受光量が予め定められた受光量Ａ以上である第２受光素子１２０が光を受光する被写体の位置に隣接する位置からの光を受光する第１受光素子１１０に接続されたスイッチ部１６０を導通状態にすることによって、当該第１受光素子１１０が受光した受光量を電気信号で画素データ取得部１７０に供給する。
【００１９】
なお、受光量検出部１３０は、複数の第２受光素子１２０のそれぞれが受光した受光量を電圧値に変換して検出する容量素子であってよい。例えば、受光量検出部１３０は、第２受光素子１２０が露光される前に予め定められた量の電荷を蓄積しておく。そして、受光量検出部１３０は、第２受光素子１２０の露光量が増加するにつれて、蓄積しておいた電荷が消滅していくことにより低い電圧値を出力する。そして、スイッチ制御部１５０は、受光量検出部１３０が検出した電圧値が、受光量Ａを示す電圧値Ｖ１未満である第２受光素子１２０が光を受光する位置と同一の位置、又は受光量検出部１３０が検出した電圧値が電圧値Ｖ１未満である第２受光素子１２０が光を受光する被写体の位置に隣接する位置からの光を受光する第１受光素子１１０に接続されたスイッチ部１６０を導通状態にするコンパレータであってよい。
【００２０】
フィルタ部１８０は、被写体からの特定の色成分の光を透過して第２受光素子１２０に受光させる色フィルタであってよい。例えば、フィルタ部１８０は、人間に特徴的な色を示す色成分の光を透過して第２受光素子１２０に受光させる色フィルタであってよい。また、フィルタ部１８０は、赤色の色成分を示す周波数以下の周波数成分を含む光を透過して第２受光素子１２０に受光させる色フィルタであってよい。フィルタ部１８０は、特に赤外線領域より周波数の小さい光を透過して第２受光素子１２０に受光させる色フィルタであってよい。このようにすれば、画素データ取得部１７０は、第２受光素子１２０によって人物等が含まれる領域の被写体からの光を受光する画素データを優先的に読み出すことができる。このため、撮像装置１００によると、撮像する画素数が増大しても人物等の所望の被検体の存在を迅速に検出して、その被検体の画像を迅速に提供することができる。また、フィルタ部１８０は、特定の偏光方向の光を透過して第２受光素子１２０に受光させる偏光フィルタであってもよい。
【００２１】
なお、複数の第２受光素子１２０のそれぞれは、複数の第１受光素子１１０のそれぞれに隣接して配置されている。そして、画素データ取得部１７０は、受光量検出部１３０が検出した受光量が予め定められた受光量Ａ以上である第２受光素子１２０に隣接して配置された第１受光素子１１０が受光した受光量を電気信号で取得する。
【００２２】
第２受光素子１２０の受光感度は、第１受光素子１１０より受光感度が小さくてよい。例えば、第２受光素子１２０の受光面積は、第１受光素子１１０より受光面積が小さくてよい。
【００２３】
また、画素データ取得部１７０は、受光量検出部１３０が検出した受光量が予め定められた第１受光量以上であり、第１受光量より大きい予め定められた第２受光量以下である第２受光素子１２０が光を受光する被写体の位置と同一の位置、又は受光量検出部１３０が検出した受光量が第１受光量以上であり第２受光量以下である第２受光素子１２０が光を受光する被写体の位置に隣接する位置からの光を受光する第１受光素子１１０が受光した受光量を電気信号で取得する。
【００２４】
なお、読み出し制御部１４０は、ＸＹアドレス方式によって第１受光素子１１０から画素信号を読み出してよい。これにより、撮像装置１００は、特定の色成分の光を所定量以上受光した画素だけを読み出すことができるので高速な読み出しが可能になる。例えば、第１受光素子１１０はＣＭＯＳ型素子であってよい。
【００２５】
その他にも、第１受光素子１１０は、ＣＣＤ型素子であってよい。この場合、画素データ取得部１７０は、受光量検出部１３０が検出した受光量が予め定められた受光量Ａ以上である第２受光素子１２０に隣接して配置された第１受光素子１１０が受光した受光量を示す画素データを記録し、受光量検出部１３０が検出した受光量が予め定められた受光量Ａ未満である第２受光素子１２０に隣接して配置された第１受光素子１１０が受光した受光量を示す画素データを記録しない。これにより、撮像装置１００は、特定の色成分の光が所定量以上ある画像領域の画像だけを画像データとして記録することができるので、画像を記録するデータ量を削減することができる。
【００２６】
なお、画素データ取得部１７０は、受光量検出部１３０が検出した受光量が予め定められた受光量Ｂ以下である第２受光素子１２０が光を受光する被写体の位置と同一の位置、又は受光量検出部１３０が検出した受光量が予め定められた受光量Ｂ以下である第２受光素子１２０が光を受光する被写体の位置に隣接する位置からの光を受光する第１受光素子１１０が受光した受光量を電気信号で取得してもよい。予め定められた受光量Ｂとは、受光量Ａより大きく、第１受光素子１１０の受光量が飽和してしまう受光量を示す第２受光素子１２０の受光量であってよい。このように制御すると、撮像装置１００は、受光量が飽和した画素を読み出したり、受光量が飽和した画素の画素データを記録したりしてしまうことを未然に防ぐことができる。このため、撮像装置１００によると、必要な領域の画素データを高速に読み出したり、必要な領域の画素データだけを記録することができる。
【００２７】
なお、画素データ取得部１７０は、受光量検出部１３０が検出した受光量が予め定められた受光量Ｂ以下である第２受光素子１２０が光を受光する被写体の位置と同一の位置、又は受光量検出部１３０が検出した受光量が予め定められた受光量Ｂ以下である第２受光素子１２０が光を受光する被写体の位置に隣接する位置からの光を受光する第１受光素子１１０の位置を示すアドレス情報と、当該第１受光素子１１０が受光した受光量とを対応づけて取得してよい。これにより、撮像装置１００は、取得したアドレス情報と受光量とに基づいて、画素値が飽和しない光量の光を発する被写体領域の画像を生成することができる。
【００２８】
図２は、第１受光素子１１０及び第２受光素子１２０の配列の一例を示す。受光素子２１０ａ〜ｆ（以下、受光素子２１０と総称する）は第１受光素子１１０の一例であり、受光素子２２０ａ〜ｆ（以下、受光素子２２０と総称する）は第２受光素子１２０の一例である。受光素子２２０の単位面積あたりの受光感度は、受光素子２１０の単位面積あたりの受光感度と略同一であってよく、受光素子２２０の受光面積は受光素子２１０の受光面積より小さい。
【００２９】
受光素子２１０ａは、受光素子２２０ａと同一の位置、又は受光素子２２０ａが光を受光する被写体の位置に隣接する位置からの光を受光すべく受光素子２１０ａ及び受光素子２２０ａは隣接して配置されており、受光素子２１０ａ及び受光素子２２０ａは１つの画素２００ａをなす。そして、読み出し制御部１４０は、受光素子２２０ａの受光量が受光量Ａ以上である場合に、受光素子２１０ａが受光した受光量を電気信号で画素データ取得部１７０に供給する。
【００３０】
なお、他の受光素子２１０ｂ〜ｆ及び受光素子２２０ｂ〜ｆも受光素子２１０ａと受光素子２２０ａとの間の位置関係と同様の位置関係で配置されていて画素２００ｂ〜ｆをなす。なお、読み出し制御部１４０の動作は、画素２００に対する動作と略同一であるので説明を省略する。なお、画素２００ａ〜ｆは、色フィルタ（図示せず）を通じて被写体の光を検出することによって、異なる複数の色の光を検出してよい。例えば、画素２００ａ、ｄ、及びｅは緑色の光を通過するフィルタを通過した光を受光し、画素２００ｂ及び２２０ｆはそれぞれ青色及び赤色の光を通過するフィルタを通過した光を検出してよい。
【００３１】
図３は、第１受光素子１１０及び第２受光素子１２０の配列の他の一例を示す。受光素子３１０ａ〜ｆ（以下、受光素子３１０と総称する）は第１受光素子１１０の一例であり、受光素子３２０ａ〜ｆ（以下、受光素子３２０と総称する）は第２受光素子１２０の一例である。図２と同様に、受光素子３２０の単位面積あたりの受光感度は、受光素子３１０の単位面積あたりの受光感度と略同一であってよく、受光素子３２０の面積は受光素子３１０の面積より小さい。本図で示される受光素子３１０及び受光素子３２０の配列は、受光素子３１０と受光素子３２０とが独立しているという点を除き、図２に示す配列と略同一である。
【００３２】
なお、読み出し制御部１４０は、受光素子３１０ｃに隣接する受光素子３２０ｃ、受光素子３２０ｄ、受光素子３２０ｅ、及び受光素子３２０ｆの受光量の平均値が受光量Ａ以上である場合に、受光素子３１０ａが受光した受光量を電気信号で画素データ取得部１７０に供給してよい。その他にも、読み出し制御部１４０は、受光素子３１０ｃに隣接する受光素子３２０ｃ、受光素子３２０ｄ、受光素子３２０ｅ、及び受光素子３２０ｆのいずれかの受光量が受光量Ａ以上である場合に、受光素子３１０ａが受光した受光量を電気信号で画素データ取得部１７０に供給してもよい。
【００３３】
図４は、第１受光素子１１０及び第２受光素子１２０の配列の更なる他の一例を示す。本図の配置例では、受光素子４１０ａ〜ｆは、単位面積あたりの受光感度が略同一であり、かつ略同一の受光面積を有する。本例においては、受光素子４１０ａ、ｂ、ｄ〜ｆが第１受光素子１１０の一例であり、受光素子３２０ｃが第２受光素子１２０の一例である。そして、読み出し制御部１４０は、例えば受光素子４１０ｃが受光した受光量が受光量Ａ以上である場合に、受光素子４１０ｃに隣接する受光素子４１０ａ、ｂ、ｄ、及びｅが受光した受光量を電気信号で画素データ取得部１７０に供給する。
【００３４】
以上、図２から図４にかけて、第２受光素子１２０が第１受光素子１１０に隣接して設けられた配列を例に挙げて受光素子の配列の一例を説明した。しかしながら、以上に説明したような、第２受光素子１２０が第１受光素子１１０の近傍に設けられた配列以外にも、多様な受光素子配列によってこの発明を実施することができる。例えば被写体からの光を分光して得られた各色の光を異なる基板に形成された受光素子アレイで受光する３板式カメラのように、撮像装置１００は、第１受光素子１１０が設けられた基板と、第１受光素子１１０が設けられた基板と異なる場所に設けられた第２受光素子１２０が設けられた基板と、被写体からの光を分割するビームスプリッタとを備えてよい。そして第１受光素子１１０はビームスプリッタによって分割された一方の光を受光し、第２受光素子１２０はビームスプリッタによって分割された他方の光を受光する。
【００３５】
なお、第１受光素子１１０の受光感度、第２受光素子１２０の受光感度、及びビームスプリッタによる光強度の分割比は、ビームスプリッタが第１受光素子１１０に供給する光の強度に対する第２受光素子１２０に供給する光の強度の比が、第２受光素子１２０の受光感度に対する第１受光素子１１０の受光感度の比より小さくなるよう定められてよい。具体的には、ビームスプリッタはハーフミラーであり、第２受光素子１２０の受光感度は第１受光素子１１０の受光感度より小さくてよい。また、第２受光素子１２０の受光感度は第１受光素子１１０の受光感度と略同一であり、ビームスプリッタは第２受光素子１２０に供給する光の強度より強い強度の光を第１受光素子１１０に供給してよい。なお、この場合でも、第２受光素子１２０の受光感度は第１受光素子１１０の受光感度より小さくてもよい。
【００３６】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【図面の簡単な説明】
【００３７】
【図１】撮像装置１００のブロック構成の一例を示す図である。
【図２】第１受光素子１１０及び第２受光素子１２０の配列の一例を示す図である。
【図３】第１受光素子１１０及び第２受光素子１２０の配列の他の一例を示す図である。
【図４】第１受光素子１１０及び第２受光素子１２０の配列の更なる他の一例を示す図である。
【符号の説明】
【００３８】
１１０  第１受光素子
１２０  第２受光素子
１３０  受光量検出部
１４０  読み出し制御部
１５０  スイッチ制御部
１６０  スイッチ部
１７０  画素データ取得部
１８０  フィルタ部
【図１】
2008187480.tif 000003
【図２】
2008187480.tif 000004
【図３】
2008187480.tif 000005
【図４】
2008187480.tif 000006